(57)【要約】　　　（修正有）【課題】目視だけで容易に浄水吐水状態なのか原水吐水状態なのかの判断ができるとともに、故障し難い浄水機能付湯水混合水栓を提供する。【解決手段】混合栓本体２と、シャワヘッド３とを備え、このシャワヘッド３は、浄水カートリッジ１１を内蔵するグリップ部１２と、このグリップ部１２の下流端に接続される吐水口本体１３とよりなり、更に、浄水カートリッジ１１は筒状のカートリッジケース１５内にフィルタ１４を収容し、フィルタ１４の外側に環状の原水流路９０ａを、内側に浄水流路９０ｂを形成する、一方、前記吐水口本体１３は、原水が通過する原水用開口３６と、浄水が通過する浄水用開口４４とを、その上流端の上下位置に有するとともに、前記原水用開口３６を通過した原水が原水吐流路２０２，２０３に連通する原水吐水状態と前記浄水用開口４４を通過した浄水が浄水吐水流路２０４に連通する浄水吐水状態とを切替える切替手段を有する。【選択図】　　　　　　図１
2004003320.tif 000002
【特許請求の範囲】
【請求項１】
給湯管および給水管に接続されて湯および水を混合する混合栓本体と、この混合栓本体に、原水の供給流路を形成する可撓管を介して接続されたシャワヘッドとを備え、このシャワヘッドは、浄水カートリッジを取替自在に内蔵してあるグリップ部と、このグリップ部の下流端に接続される吐水口本体とよりなり、更に、浄水カートリッジは、筒状のフィルタおよびこのフィルタを収容する筒状のカートリッジケースを有するとともに、前記フィルタおよびカートリッジケース間に形成される環状の原水流路を前記供給流路に連通する形で有し、また、前記フィルタは当該フィルタの内周面によって形成される浄水流路を有する一方、前記吐水口本体は、前記原水流路を流れる原水が通過する原水用開口と、前記浄水流路を流れる浄水が通過する浄水用開口とを、前記吐水口本体の上流端の上下位置に有するとともに、前記原水用開口を通過した原水が原水吐水流路に連通する原水吐水状態と前記浄水用開口を通過した浄水が浄水吐水流路に連通する浄水吐水状態とを切替える切替手段を有し、しかも、この切替手段は、前記浄水吐水状態においては、前記原水用開口を通過した原水が前記原水吐水流路に連通するのを遮断する弁機構を前記原水用開口の下流側に有し、遮断状態では、原水が前記フィルタの外周面から前記フィルタ内を通過して前記フィルタの内周面に至ることによって浄水を得るように構成されていることを特徴とする浄水機能付湯水混合水栓。
【請求項２】
原水吐水状態と浄水吐水状態とを切替える切替手段が、浄水吐水状態では浄水のみを吐水させる一方、原水吐水状態のときは原水のみを吐水させるよう構成されている請求項１に記載の浄水機能付湯水混合水栓。
【発明の詳細な説明】
【０００１】
【発明の属する技術分野】
この発明は、浄水カートリッジをシャワヘッドに内蔵し、切替手段によって湯水混合水や水（以下、原水という）と浄水とが切替え可能に構成された浄水機能付湯水混合水栓に関する。
【０００２】
【従来の技術および発明が解決しようとする課題】
従来この種の浄水機能付湯水混合水栓として、原水と浄水とを切替え操作するための操作具として、図３８（Ａ）、図３８（Ｂ）に示すような押しボタン１０１の切替スイッチがシャワヘッドの吐水口本体１０２の横側部に露出した状態で設けられているものがあるけれども、押しボタン１０１の凹み具合だけでは、浄水吐水状態の場合〔図３８（Ｂ）〕なのか、あるいは、原水吐水状態の場合〔図３８（Ａ）〕なのかを、たとえ切替え表示１０３があっても目視だけでは容易に判断しにくかった。その上、押しボタン１０１の切替作動を弁体に伝達する伝達機構が複雑であり、故障の原因となっていた。
【０００３】
この発明はこのような実情を考慮に入れてなされたものであって、目視だけで容易に浄水吐水状態なのか原水吐水状態なのかの判断ができるとともに、故障し難い浄水機能付湯水混合水栓を提供することを目的としている。
【０００４】
【課題を解決するための手段】
すなわち、この発明の浄水機能付湯水混合水栓は、給湯管および給水管に接続されて湯および水を混合する混合栓本体と、この混合栓本体に、原水の供給流路を形成する可撓管を介して接続されたシャワヘッドとを備え、このシャワヘッドは、浄水カートリッジを取替自在に内蔵してあるグリップ部と、このグリップ部の下流端に接続される吐水口本体とよりなり、更に、浄水カートリッジは、筒状のフィルタおよびこのフィルタを収容する筒状のカートリッジケースを有するとともに、前記フィルタおよびカートリッジケース間に形成される環状の原水流路を前記供給流路に連通する形で有し、また、前記フィルタは当該フィルタの内周面によって形成される浄水流路を有する一方、前記吐水口本体は、前記原水流路を流れる原水が通過する原水用開口と、前記浄水流路を流れる浄水が通過する浄水用開口とを、前記吐水口本体の上流端の上下位置に有するとともに、前記原水用開口を通過した原水が原水吐水流路に連通する原水吐水状態と前記浄水用開口を通過した浄水が浄水吐水流路に連通する浄水吐水状態とを切替える切替手段を有し、しかも、この切替手段は、前記浄水吐水状態においては、前記原水用開口を通過した原水が前記原水吐水流路に連通するのを遮断する弁機構を前記原水用開口の下流側に有し、遮断状態では、原水が前記フィルタの外周面から前記フィルタ内を通過して前記フィルタの内周面に至ることによって浄水を得るように構成されていることを特徴としている。
【０００５】
【発明の実施の形態】
図１〜図３４は、この発明の一実施形態を示す。
まず、図１〜図４において、浄水機能付湯水混合栓１は、給湯管Ｈおよび給水管Ｃから流入する湯および水を適宜混合して混合水をフレキシブルホースである混合水供給管２ａに供給する混合栓本体２と、混合栓本体２から供給される湯水混合水や水（以下、原水という）の吐水状態とその浄水の吐水状態とに切替える切替手段（後述する）、ならびに、原水または浄水を直放水吐水状態、あるいは、原水または浄水を散水吐水状態に切替えるための切替操作部材３ａを備えて原水または浄水を吐水するシャワヘッド３と、このシャワヘッド３と混合水供給管２ａとを接続する可撓管４とを有している。この可撓管４は、螺旋形状を持つステンレス鋼帯４ａの内面に樹脂製部材４ｂを固着してなるラセンホースで、原水の供給流路Ｌ（図４参照）を形成する。
【０００６】
２ｂは、ハンドル２ｃを有する止水栓２ｄを介して給湯管Ｈに連通連結される上流端を有するサプライ管である。サプライ管２ｂの下流端は混合栓本体２の下部に形成された湯導入孔に連通連結される。また、２ｅは、ハンドル２ｆを有する止水栓２ｇを介して給水管Ｃに連通連結される上流端を有するサプライ管である。サプライ管２ｅの下流端は混合栓本体２の下部に形成された水導入孔に連通連結される。２ｈは混合水供給管２ａに供給される湯水の混合比と止水を含む吐水量の調整を行うシングルレバー（図３３参照）である。この実施形態では、可撓管４を介して取り出し自在なシャワヘッド３を有し、湯水混合栓取付面部５を上下に貫通して形成された一つの貫通孔６に前記サプライ管２ｂ，２ｅと可撓管４を通してなるワンホールスプレー混合栓を前記湯水混合栓１として採用している。７は、混合栓本体２を取付面部５上に固定設置するために取付面部５を混合栓本体２の下面とで挟む締付金具である。
【０００７】
シャワヘッド３は、可撓管４を挿通できる挿通口８を有するホルダー２ｉに支持されており、ホルダー２ｉの先端部ｍから引出し可能となっている。ホルダー２ｉは、混合栓本体２の下部外周を覆う下部カバー９と一体に成形されており、かつ、下部カバー９は、混合栓本体２の下部に対して回動自在に構成されている。１０は、可撓管４の途中に設けられた重りである。
【０００８】
以下、この発明の特徴的構成について説明する。
【０００９】
前記シャワヘッド３は、円筒状の浄水カートリッジ１１が取替自在に内蔵されている合成樹脂製のカートリッジ収容ケースを兼用するグリップ部１２と、このグリップ部（以下、カートリッジ収容ケースという）１２の下流端に簡易な着脱手段で接続される合成樹脂製の吐水口本体１３とよりなる。吐水口本体１３は、図３に示すように、浄水カートリッジ１１内の原水流路９０ａを流れる原水が通過する原水用開口３６と、浄水カートリッジ１１内の浄水流路９０ｂを流れる浄水が通過する浄水用開口４４とを、吐水口本体１３の上流端の上下位置に有する。
【００１０】
（１）まず、浄水カートリッジ１１について説明する。
【００１１】
浄水カートリッジ１１は、筒状のフィルタ１４およびこのフィルタを収容する筒状のカートリッジケース１５を有する。
【００１２】
フィルタ１４は、例えば高性能抗菌繊維活性炭よりなり、長手方向に沿った中央に貫通穴１６を有する。フィルタ１４の上流端面１４ａ（図５参照）は、図７、図８で示すようなガイドキャップ１７で覆われている。ガイドキャップ１７は前記上流端面１４ａに接着されている。Ｗは、ガイドキャップ１７の一方面である接着面である。一方、カートリッジケース１５は、図６に示すように、上流端部１５ａ、下流端部１５ｂおよび両端部１５ａ，１５ｂ間に位置する大径部１５ｃより構成されている。上流端部１５ａは、環状の段差１８を有し、それによって、上流端部１５ａの内径Ａは大径部１５ｃの内径Ｂよりも小さく設定されている。内径Ａは、例えば２８ｍｍであり、内径Ｂは、例えば３２．５ｍｍである。下流端部１５ｂは、大径部１５ｃの内径Ｂと同一の内径を有する。
【００１３】
また、前記ガイドキャップ１７は、外径Ｄが内径Ｂよりも小さい例えば２６ｍｍの薄い板状のディスク部１９と、ディスク部１９の外周からＬ字型に折れ曲がった複数の脚部２０を有する。なお、ディスク部１９の上流面１９ａは、下流側に少しだけ凹んだ形をしている。各脚部２０の底部分ｎは、ガイドキャップ１７を前記上流端面１４ａに接着下した状態でカートリッジケース１５内にフィルタ１４を下流端部１５ｂの側から挿入したときに、前記段差１８に当接するように形成されている。フィルタ１４の外径Ｅはディスク部１９の外径Ｄとほぼ同じに設定されている。よって、フィルタ１４の外周面ａおよびカートリッジケース１５の内周面ｂ間には、環状空間Ｓが形成される。この環状空間Ｓ内を原水が流れる。すなわち、フィルタ１４およびカートリッジケース１５間に３ｍｍ程度の幅Ｑ（図５参照）を持った環状の原水流路９０ａ（図１５参照）が形成される。
【００１４】
また、前記ガイドキャップ１７は、前記接着面Ｗに複数の嵌合片２１を有する。ガイドキャップ１７は、各嵌合片２１が、フィルタ１４の貫通穴１６に嵌め込まれた状態でフィルタ１４の上流端面１４ａに接着される。この貫通穴１６によって前記浄水流路９０ｂが形成される。
【００１５】
次に、フィルタ１４の下流端面１４ｂ（図５参照）の側の構成について説明する。
【００１６】
フィルタ１４の下流端面１４ｂには、フィルタ１４の貫通穴１６に連通する連通孔２２を持つＳｉよりなる薄い板状の環状の合成ゴム体２３（図９参照）が接着される。合成ゴム体２３の外径Ｆは、フィルタ１４の外径Ｅにほぼ等しい。続いて、図１０（Ａ）、図１０（Ｂ）、図１１、図１２で示す連通部材２４の裏面側に設けた円形のリング面２４ａに、合成ゴム体２３の非接着面２３ａの外周端ｒを接着する〔図１０（Ｂ）参照〕。一方、連通部材２４の表面側には、図１３、図１４で示すキャップ２５の裏面側が超音波溶着されている。
【００１７】
以下、連通部材２４とキャップ２５について詳述する。
【００１８】
連通部材２４は、図１２および図１０（Ｂ）に示すように、前記円形のリング面２４ａによって形成される平面視円形の凹所２６を裏面３１側に有し、かつ、合成ゴム体２３の外径Ｆとほぼ等しい外径Ｇを有する。また、連通部材２４は、一対の連通口２８，２８を備えている。各連通口２８は、平面視円弧状で、外周面Ｐの径方向内側と外周面Ｐの径方向外側にわたり短い幅Ｍを有するとともに、深さＫを有する。前記連通口２８は、図１０（Ａ）に示すように、表面３０側からみれば幅Ｍを有するが、図１２に示すように、裏面３１側からみれば、各連通口２８は、外周面Ｐから径方向外側へ長さＴだけ突出した円弧状の突出部分４０を有することから、前記長さＴ分だけ、裏面３１側の開口幅Ｓは、表面３０側の前記開口幅Ｍより短くなっている。更に、前記連通口２８，２８は、連通部材２４の中心Ｏに対して点対称の位置にあるとともに、連通部材２４の表面３０から長さＸ（＜Ｋ）だけ突出している。２９は、前記円形のリング面２４ａを持つ垂下部で、表面３０の外周端から裏面３１側に向かって９０°折れ曲がることにより形成されている。垂下部２９の垂下長さＹは、図１０（Ｂ）に示すように、前記裏面３１および円形のリング面２４ａ間の長さである。したがって、円形のリング面２４ａに合成ゴム体２３を接着した状態では、連通部材２４の裏面３１と合成ゴム体２３の非接着面２３ａ間に垂下長さＹに相当する隙間を有する連通空間Ｊが形成される。
また、連通部材２４は、前記裏面３１に複数の嵌合片３０を有する。連通部材２４は、各嵌合片３０が合成ゴム体２３の連通孔２２を挿通してフィルタ１４の貫通穴１６に嵌め込まれた状態で、フィルタ１４の下流端面１４ｂとの間に合成ゴム体２３を有して下流端面１４ｂ側に位置することになる。
【００１９】
一方、前記キャップ２５は、連通部材２４を表面３０の側から覆うもので、図１３に示すように、平面視円形で、連通部材２４の外径Ｇよりも長い外径Ｇ’を有する。また、キャップ２５は、表面３３から突出したリング部３４によって形成される開口３５を中央に有する。この開口３５は、吐水口本体１３の原水用開口３６（図３参照）に連通接続される。また、キャップ２５は、連通部材２４の連通口２８，２８にそれぞれ連通する連通孔３７，３７を連通口２８，２８に対応する位置に有する。そして、連通部材２４の表面３０とキャップ２５が裏面３８とを対向させながら超音波溶着によって連通部材２４をキャップ２５で被覆するよう連結した状態（図３参照）では、連通部材２４の裏面３１側からみると、連通部材２４の前記円弧状の突出部分４０，４０の外周面４０ａ（図１２参照）とキャップ２５の内周面とが固着されている一方、突出部分４０，４０間に長さＴの幅を持つ隙間空間Ｒ，Ｒ（図３参照）が形成される。そして、この隙間空間Ｒ，Ｒに、カートリッジケース１５内に形成された前記環状空間Ｓが連通するよう構成されている。したがって、図１６に示すように、浄水カートリッジ１１内に形成される環状空間Ｓの原水流路９０ａを流れる原水は、連通部材２４がキャップ２５によって被覆されることにより形成される隙間空間Ｒ，Ｒを通過し、キャップ２５の中央に形成された開口３５を経て、吐水口本体１３の原水用開口３６に至ることになる。
【００２０】
（２）次に、浄水カートリッジ１１を収容するカートリッジ収容ケース（グリップ部）１２と、シングルレバー２ｈを閉め忘れて吐水状態になっているときに、浄水カートリッジ１１の交換やメンテナンスのために前記収容ケース４５から浄水カートリッジ１１を取り外したときに供給流路Ｌの原水が外部に吐出するのを防止するとともに、浄水カートリッジ１１を交換しなければならない月を表示できる構成について説明する。
【００２１】
図３、図４において、５０は、可撓管４の最下流端に水密状態で接続された緊急遮断弁としてのストップ弁で、筒状の弁ケース５４内に、弁座部材５１と、弁座部材５１の上流側に設けた弾性部材５２と、弾性部材５２によって弁座部材５１に当接するよう常に下流側に付勢されている弁体５３とを有する。更に、弁体５３は、先端突出部５３ａを有する。この先端突出部５３ａは、側面視がほぼＬ字形状であり、先端突出部５３ａの最下流端は、弁ケース５４の長手方向に対してほぼ直角をなす角度を向くように設けられている。
【００２２】
５５は、樹脂製の表示リング（図１８〜図２０参照）で、ストップ弁５０の弁ケース５４がはめ込み可能な大きさの貫通孔５６を形成する内部筒状部材５７と、内部筒状部材５７を覆う外部筒状部材５８の二重構造よりなり、外部筒状部材５８の外周面５５ａには、”１月まで”から”１２月まで”の表示が目視可能なようにシルク印刷により施されている。内部筒状部材５７の外周面と外部筒状部材５８の内周面の間には、放射状に複数の補強リブ５９が設けられている。更に、外部筒状部材５８は、先端外周面が全周にわたり凹部５８ａと凸部５８ｂが交互に連続形成されてなる凹凸形状をなす。ストップ弁５０は、先端部を外部筒状部材５８の先端外周面から下流側に突出させた状態で位置する。
【００２３】
一方、図８で示したガイドキャップ１７のディスク部１９の前記上流面１９ａを弁体５３に当接させながら、弁体５３の付勢力に抗して弁体５３を上流側に押圧することにより、ストップ弁５０が開弁している状態が、図１に示されている。浄水カートリッジ１１はカートリッジ収容ケース４５に収容され、カートリッジ収容ケース４５の下流にはシャワヘッド３が連通接続されている。この状態で後述する切替手段を原水吐水状態に切替えるとともに、シングルレバー２ｈを図３３に示すように、水側に操作したり、湯側に操作することにより吐水状態にし、更に、シャワヘッド３に設けた、直放水と散水の切り替え用の突起３ａを直放水側に切替えると、図１５に示すように、原水の直放水の吐水流路２０２を形成できる。また、突起３ａを散水側に切替えると、図１７に示すように、原水の散水の吐水流路２０３を形成できる。
【００２４】
次に、カートリッジ収容ケース１２について説明する。
【００２５】
カートリッジ収容ケース１２は、図２８〜図３１に示す上部材４５ａと、図２３〜図２７に示す下部材４５ｂよりなり、ほぼ筒状である。上部材４５ａは、上流側に筒部分６３を残す形で筒体を軸線に沿って半割りに切断した形状をなす一方、下部材４５ｂは、円弧体に形成されている。
【００２６】
上部材４５ａは、長手方向に沿って両側に位置する下端部に内溝６０ａ（図２９参照）を有するとともに、筒部分６３の切断端面部に内溝６０ｂ（図３０、図３１参照）を有する。一方、下部材４５ｂは、長手方向に沿って両側に位置する上端部に、前記内溝６０ａに係合する外溝６１ａ（図２９参照）を有するとともに、前記内溝６０ｂに係合する外溝６１ａ（図２３、図２４参照）を上流側の端面に有する。
【００２７】
また、上部材４５ａは、筒部分６３内に、表示リング５５の内部筒状部材５７と外部筒状部材５８間に形成されるリング溝６６（図４参照）に遊嵌状態で挿入可能な内筒部分６７を有する。この内筒部分６７の内周面は、上流側に上部材４５ａの長手方向に沿って形成されたセレーション６８を有する。一方、シャワヘッド３のホルダー２ｉの先端部ｍには、図２に示すように、この先端部ｍと外周が同径のフランジ６９を有する筒状体７０が水密状態で嵌め込まれている。この筒状体７０は、大径の前記フランジ６９と、これより小径の筒状体本体７１とよりなり、筒状体本体７１は、外周面に前記セレーション６８に歯合するセレーション７２を有する。
【００２８】
更に、上部材４５ａは、筒部分６３の一方の周側面で、長手方向にＵ字型に切欠いた切欠窓７３を有する。この切欠窓７３の位置に、表示リング５５の外部筒状部材５８の外周面５５ａに表示されている”１月まで”から”１２月まで”のいずれかの表示が位置するように構成されている。高性能抗菌繊維活性炭よりなるフィルタ１４の寿命は、ほぼ３〜４ヵ月であることから、４月に交換すれば、次回の交換の月が７〜８月であることを、”７月まで”あるいは”８月まで”のいずれかに表示リング５５をセットすることで表示しておくことができる。そのため、交換の月を忘れても”７月まで”あるいは”８月まで”の表示で交換の月が分かる利点を有する。
【００２９】
また、例えば”７月まで”の表示を切欠窓７３に位置させても、表示リング５５は前記リング溝６６（図４参照）に遊嵌状態で挿入されているだけであり、可撓管４がまわることで可撓管４に接続されているストップ弁５０の弁ケース５４と共に表示リング５５がまわり”７月まで”の表示が切欠窓７３からずれることが考えられる。この事態を回避するために、下部材４５ｂは、表示リング５５の外部筒状部材５８の先端外周面に設けた複数の凸部５８ｂのうち、”７月まで”の表示に対応する凸部５８ｂを挟むことにより表示リング５５がまわるのを防止するまわり止めの手段を有する。このまわり止めの手段として、下部材４５ｂは、下部材４５ｂの凸部５８ｂに対応する位置に設けた舌片７４を有する。これにより、前記”７月まで”の表示に対応する凸部５８ｂを、前記舌片７４と舌片７４直下の下部材４５ｂ内周面部分Ｚ（図２４参照）とで挟むことができ、表示リング５５がまわるのを防止でき、インジケータとしての”１月まで”から”１２月まで”の表示が切欠窓７３からずれたりすることなく確実に正しい交換日が切欠窓７３を介して常に目視可能に表示できる利点を有する。
【００３０】
（３）次に、カートリッジ収容ケース１２と吐水口本体１３の簡易な接続手段について説明する。
【００３１】
この発明では、カートリッジ収容ケース１２と吐水口本体１３の接続はねじ式ではなく、ワンタッチ着脱機構を採用している。
【００３２】
カートリッジ収容ケース１２は、先端に位置する短筒状に形成されたフランジ９０の外周で、円周方向に沿って形成された図２１、図２３、図２６、図２８、図２９に示すような被係合部９１を、上部材４５ａおよび下部材４５ｂにそれぞれ二つずつ有する。これら四つの被係合部９１は、円周方向に沿って等間隔に位置している。
【００３３】
各被係合部９１は、フランジ９０の外周面９１ａ（図２７参照）から僅かに膨らんだ平面視Ｌ字型の膨らみ部分９２と、膨らみ部分９２の内側の角に位置する平面視矩形の凹所９３とよりなる。この平面視矩形の凹所９３は、外周面９１ａを凹ませて形成されたものではなく、外周面９１ａに直線状の仕切り壁９３ｃ（図２３参照）を膨らみ部分９２から距離Ｖだけ離れて設けることにより形成される。被係合部９１，９１間の間隔はｔである。
【００３４】
そして、図２１、図２８に示すように、上部材４５ａは、上部材本体４５ａ’外周面のフランジ９０に近接する位置に、○および△の吐水口本体はめ込み手順を示すマーク９４および９５をそれぞれ有する。
【００３５】
例えば、図２８に示すように、マーク９４は、係合溝９１，９１間に対応する上部材本体４５ａ’外周面に位置し、マーク９５は、一方の被係合部９１における凹所９３より外側に離れた位置に対応する上部材本体４５ａ’外周面に位置する。他方の被係合部９１の凹所９３およびマーク９４間の距離Ｉと、マーク９４およびマーク９５間の距離Ｉは等しい。
【００３６】
一方、吐水口本体１３は、カートリッジ収容ケース１２の短筒状フランジ９０に設けた四つの被係合部９１に係合する係合突起９６（図４、図３参照）を短筒状フランジ９０に対する接続用開口１３ｄにそれぞれ有する。
【００３７】
図４、図３において、四つの係合突起９６は、それぞれ、接続用開口１３ｄの内周面ｂに円周方向に沿って形成されている。係合突起９６は、最終的に前記凹所９３に嵌め込まれる平面視矩形の突起９７と、例えば図２３において、フランジ９０の外周面９１ａのうち、平面視Ｌ字型の膨らみ部分９２と平面視矩形の凹所９３によって挟まれる外周面部分９１ａ’に嵌め込まれる平面視矩形の突起９８とよりなる。突起９７，９８同士は直線状の溝９９を挟んで隣接している。
【００３８】
更に、図２１に示すように、吐水口本体１３は、上二つの係合突起９６，９６間の対応する位置に△の吐水口本体はめ込み手順を示すマーク１０２を有する。
【００３９】
以下、吐水口本体１３のカートリッジ収容ケース１２の短筒状フランジ９０への嵌め込み手順について説明する。
【００４０】
図２１において、異なるマーク１０，マーク９４同士を近づけて吐水口本体１３をフランジ９０に嵌め込むのではなく、予め、同じマーク１０２，９５同士を近づけることにより吐水口本体１３をフランジ９０に嵌め込むことができる。この状態では、被係合部９１，９１間にそれぞれ係合突起９６が位置している。続いて、マーク１０２，９４同士が一直線になるよう吐水口本体１３を図２２にも示すようなｅ方向に回動させることでマーク１０２をマーク９４に整合させる。これにより、突起９７が凹所９３に嵌まり込むとともに、突起９８が外周面部分９１ａ’に嵌まり込み、ねじ式接続のように煩雑ではなく、吐水口本体１３にカートリッジ収容ケース１２をワンタッチで、かつ容易に接続できる。吐水口本体１３の取り外しは嵌め込み手順とは反対の動作を行えばよい。この吐水口本体１３の取り外し作業もワンタッチで、かつ容易に行える。
【００４１】
（４）次に、図１５〜図１７、図３２、図３４を用いて、原水吐水状態と浄水吐水状態とを切替える切替手段と、シーソー式に構成されている回動操作具１０５について説明する。
【００４２】
前記切替手段は、前記吐水口本体１３の横側部に露出したシーソー式の切替用の回動操作具１０５と、金属製のボール弁体１１２と、ボール弁体１１２を保持する弁体保持部材１１３と、弁座部材１１１とを主として有する。
更に、回動操作具１０５は、原水の吐水流路２０２，２０３と浄水の吐水流路２０４を切替る機能を有するもので、図３４に示すように、回動操作具１０５は、前面に、浄水吐水状態か、あるいは、原水吐水状態かを容易に目視できる切替え表示部１０６を有する。この切替え表示部１０６は、浄水吐水状態を示す表示部分１０６ａと原水吐水状態を示す表示部分１０６ｂとよりなる（図３２参照）。
【００４３】
前記吐水流路２０２は、切替操作部材３ａを回動操作して設定した直放水吐水状態の原水吐水流路（図１５参照）、前記吐水流路２０３は、切替操作部材３ａを回動操作して設定した散水吐水状態の原水吐水流路（図１７参照）、前記吐水流路２０４は、切替操作部材３ａを回動操作して設定した直放水吐水状態の浄水吐水流路である（図１６参照）。また、図示はしないが、散水吐水状態の浄水吐水流路も、切替操作部材３ａを回動操作して設定できる。
１０８は、浄水用開口４４および弁座部材１１１に形成されている開口１１０の下流側に形成されるチャンバ、１０９は、弁座部材１１１の上流側に形成される空間部である。空間部１０９は上流側の原水用開口３６に連通されている。また、チャンバ１０８は、上流側の浄水用開口４４に連通されている。弁座部材１１１は、原水吐水状態の場合、前記原水流路９０ａを原水用開口３６から空間部１９を介してチャンバ１０８に連通させる開口１１０を有する。そして、弁座部材１１１の上流側には、前記回動操作具１０５の回動操作に連動して開口１１０を開閉する金属製のボール弁体１１２を保持する合成樹脂製の弁体保持部材１１３が設けられている。
【００４４】
すなわち、前記弁体保持部材１１３は、上下方向の軸芯まわりで回動可能に前記空間部１０９に設けられている。そして、この弁体保持部材１１３に、弁体保持部材１１３の回動に伴って前記開口１１０を開閉させる金属製のボール弁体１１２を、スプリング１１５によって閉弁方向に付勢させて設けている。また、この弁体保持部材１１３に前記回動操作具１０５を連設し、かつ、この回動操作具１０５を吐水口本体１３の横側部に露出させてある。なお、前記スプリング１１５とボール弁体１１２は、この順で筒体１２０に下側から挿入されている。
【００４５】
前記回動操作具１０５の回動軸部は、弁座部材１１１の上面板１１１ａに立設するピン１３０と、このピン１３０に嵌入係合するようピン１３０の形状に合わせて回動操作具１０５に穿設した孔１０５ａとで構成される。
【００４６】
１４０は、弁座部材１１１の上面板１１１ａに開口１１０と並設されたボール弁体１１２用の溝である。すなわち、図１５、図１７に示す原水吐水状態では、前記開口１１０は、ボール弁体１１２によって覆われておらず、ボール弁体１１２は前記溝１４０に位置したままである。一方、回動操作具１０５を例えば図１５に示す原水吐水状態から図１６に示す浄水吐水状態に切替操作すると、回動操作具１０５の作動に連動してボール弁体１１２が前記溝１４０から前記開口１１０に移動するよう弁体保持部材１１３が回動して、原水用開口３６を通過した原水が図１５に示した原水の吐水流路２０２に連通するのを遮断する遮断状態となる。この浄水吐水状態においては、図１６に示すように、原水が前記フィルタ１４の外周面ａから前記フィルタ１４内を通過して前記フィルタ１４の内周面１６ａ（貫通孔１６）に至ることによって浄水を得ることができる。この浄水は、吐水口本体１３に設けた前記浄水用開口４４を介して吐水する。
【００４７】
また、前記回動操作具１０５は、従来のように凹み具合で浄水吐水状態か、あるいは、原水吐水状態かを判断させる押しボタン８１の方式ではなく、ピン１３０を支点部とするシーソー式に構成されているので、原水吐水状態では、表示部分１０６ｂが凹み、かつ、表示部分１０６ａが突出しており、目視だけで浄水吐水状態か、あるいは、原水吐水状態かを容易に判断できる。浄水吐水状態の場合も同様である。
【００４８】
また、前記回動操作具１０５の切替作動をボール弁体１１２に伝達する伝達機構として、弁体保持部材１１３と、ボール弁体１１２と、スプリング１１５と、弁座部材１１１とからなる簡易な構成を採用しているので、故障の原因になり難く、仮に故障しても部品点数が少ないので、迅速に交換できる。
【００４９】
また、図４において、３０３は、直放水用吐水口部、３０５は、散水用吐水口部３０５である。前記直放水用吐水口部３０３には、例えばメッシュの周囲を合成樹脂材で縁取りした複数枚の散水板３１０…が設けられている。また、前記散水用吐水口部３０５にも散水板３１１が設けられている。
【００５０】
なお、上記実施形態では図１５、図１７に示すように、吐水口本体１３に設けた浄水用開口４４から原水の吐水流路２０２，２０３に浄水が合流して原水吐水状態でも浄水が混じった状態で原水が吐水口本体１３から吐水するおそれがある。
【００５１】
図３５〜図３７は、原水吐水時における浄水の原水吐水流路への流出を防止できるように、原水吐水状態と浄水吐水状態とを切替える切替手段を構成したこの発明の他の実施形態を示す。なお、図３５〜図３７において、図１〜図３４に示した符号と同一のものは同一又は相当物である。
【００５２】
図３５〜図３７において、切替手段３００は、前記吐水口本体１３の横側部に露出したシーソー式の切替用の回動操作具１０５と、弁座部材３０１と、金属製のボール弁体１１２を保持する弁体保持部材１１３と、金属製の別のボール弁体１１２’を保持する弁体保持部材１１３’とを主として有する。
【００５３】
弁座部材３０１は、弁座部材３０１の上面板１１１ａに、チャンバ１０８内に連通する開口１１０を有するとともに、上面板１１１ａおよび弁座部材３０１の下面板１１１ｃ間に、弁座部材３０１よりも上流側に位置する浄水用開口４４に連通する環状流路Ｋを有し、また、この環状流路Ｋをチャンバ１０８内に導き、下面板１１１ｃに設けた、チャンバ１０８の出口１０８ａに環状流路Ｋを連通させるためのチャンバ入口１０８ｃを有する。そして、浄水吐水状態では、ボール弁体１１２が、上流側の原水用開口３６に連通するもう一つのチャンバ入口である開口１１０を閉じるよう、同時に、ボール弁体１１２’がチャンバ入口１０８ｃを開くように、また、原水吐水状態では、ボール弁体１１２が原水用開口３６に連通する開口１１０を開くよう、同時に、ボール弁体１１２’がチャンバ入口１０８ｃを閉じるように、弁体保持部材１１３と弁体保持部材１１３’はピン１３０に連動連結されている。１１５’は、弁体保持部材１１３’の回動に伴って前記チャンバ入口１０８ｃを開閉させる金属製の前記ボール弁体１１２’を閉弁方向に付勢させるスプリングである。
【００５４】
而して、浄水吐水状態では、図３６に示すように、上流側の原水用開口３６に連通する開口１１０が閉じられる一方、チャンバ入口１０８ｃが開かれて環状流路Ｋがチャンバ入口１０８ｃ、チャンバ１０８を介してチャンバ出口１０８ａに連通することになり、浄水を吐水できる。
【００５５】
一方、原水吐水状態では、図３７に示すように、チャンバ入口１０８ｃが閉じられて環状流路Ｋとチャンバ入口１０８ｃが連通しなくなる一方、上流側の原水用開口３６に連通する開口１１０が開かれて原水を吐水できる。
【００５６】
この実施形態では、浄水側にも原水側と同じ構造のボール弁体１１２’を設け、原水側のボール弁体１１２と連動して原水吐水状態と浄水吐水状態の切替えを行うようにしたので、原水吐水状態での浄水の流出をなくすことができる。そのため、浄水カートリッジ１１の耐久性（寿命）を向上できる。
【００５７】
【発明の効果】
以上詳述したようにこの発明では、目視だけで容易に浄水吐水状態なのか原水吐水状態なのかの判断ができるとともに、故障し難い浄水機能付湯水混合水栓を提供できる効果がある。
【図面の簡単な説明】
【図１】この発明の一実施形態を示す全体構成説明図である。
【図２】上記実施形態における分解斜視図である。
【図３】上記実施形態における要部分解斜視図である。
【図４】上記実施形態における要部を分解した構成説明図である。
【図５】上記実施形態で用いた浄水カートリッジを示す構成説明図である。
【図６】上記実施形態で用いた浄水カートリッジのケースを示す構成説明図である。
【図７】上記実施形態で用いた浄水カートリッジのガイドキャップを示す平面図である。
【図８】図７におけるａ−ｂ−ｃ断面図である。
【図９】上記実施形態で用いた浄水カートリッジの合成ゴム体を示す縦断面図である。
【図１０】（Ａ）は、上記実施形態で用いた浄水カートリッジの連通部材を示す平面図である。（Ｂ）は、上記実施形態で用いた浄水カートリッジの連通部材を示す縦断面図である。
【図１１】上記実施形態で用いた浄水カートリッジの連通部材を示す側面図である。
【図１２】上記実施形態で用いた浄水カートリッジの連通部材を示す背面図である。
【図１３】上記実施形態で用いた浄水カートリッジのキャップを示す平面図である。
【図１４】上記実施形態で用いた浄水カートリッジのキャップを示す縦断面図である。
【図１５】上記実施形態における原水吐水状態で、かつ、直放水の状態を示す構成説明図である。
【図１６】上記実施形態における浄水吐水状態で、かつ、直放水の状態を示す構成説明図である。
【図１７】上記実施形態における原水吐水状態で、かつ、散水の状態を示す構成説明図である。
【図１８】上記実施形態で用いた表示リングを示す正面図である。
【図１９】上記実施形態で用いた表示リングを示す側面図である。
【図２０】上記実施形態で用いた表示リングを示す縦断面図である。
【図２１】上記実施形態で用いたカートリッジ収容ケースと吐水口本体の接続動作を示す平面図である。
【図２２】上記実施形態で用いた吐水口本体の接続のための回動動作を示す斜視図である。
【図２３】上記実施形態で用いたカートリッジ収容ケースの下部材を示す底面図である。
【図２４】上記実施形態で用いたカートリッジ収容ケースの下部材を示す断面図である。
【図２５】上記実施形態で用いたカートリッジ収容ケースの下部材を示す上面図である。
【図２６】上記実施形態で用いたカートリッジ収容ケースの下部材を示す側面図である。
【図２７】上記実施形態で用いたカートリッジ収容ケースの下部材を示す正面図である。
【図２８】上記実施形態で用いたカートリッジ収容ケースの上部材を示す上面図である。
【図２９】上記実施形態で用いたカートリッジ収容ケースの上部材を示す側面図である。
【図３０】上記実施形態で用いたカートリッジ収容ケースの上部材を示す断面図である。
【図３１】図３０におけるＦ−Ｆ線断面図である。
【図３２】上記実施形態で用いた吐水口本体を示す正面図である。
【図３３】上記実施形態で用いたシングルレバーの吐水と止水動作を示す図である。
【図３４】上記実施形態で用いた切替手段を示す要部分解斜視図である。
【図３５】この発明の他の実施形態で用いた切替手段を示す要部分解斜視図である。
【図３６】上記他の実施形態における浄水吐水状態で、かつ、直放水の状態を示す構成説明図である。
【図３７】上記他の実施形態における原水吐水状態で、かつ、直放水の状態を示す構成説明図である。
【図３８】（Ａ）は従来の原水吐水状態を説明するための図である。（Ｂ）は従来の浄水吐水状態を説明するための図である。
【符号の説明】
１…浄水機能付湯水混合栓、２…混合栓本体、３…シャワヘッド、４…可撓管、１１…浄水カートリッジ、１２…グリップ部（カートリッジ収容ケース）、１３…吐水口本体、１４…フィルタ、１５…カートリッジケース、３６…原水用開口、４４…浄水用開口、９０ａ…原水流路、９０ｂ…浄水流路、２０２，２０３…原水の吐水流路、２０４…浄水の吐水流路。
【図１】
2004003320.tif 000003
【図２】
2004003320.tif 000004
【図３】
2004003320.tif 000005
【図４】
2004003320.tif 000006
【図５】
2004003320.tif 000007
【図６】
2004003320.tif 000008
【図７】
2004003320.tif 000009
【図８】
2004003320.tif 000010
【図９】
2004003320.tif 000011
【図１０】
2004003320.tif 000012
【図１１】
2004003320.tif 000013
【図１２】
2004003320.tif 000014
【図１３】
2004003320.tif 000015
【図１４】
2004003320.tif 000016
【図１５】
2004003320.tif 000017
【図１６】
2004003320.tif 000018
【図１７】
2004003320.tif 000019
【図１８】
2004003320.tif 000020
【図１９】
2004003320.tif 000021
【図２０】
2004003320.tif 000022
【図２１】
2004003320.tif 000023
【図２２】
2004003320.tif 000024
【図２３】
2004003320.tif 000025
【図２４】
2004003320.tif 000026
【図２５】
2004003320.tif 000027
【図２６】
2004003320.tif 000028
【図２７】
2004003320.tif 000029
【図２８】
2004003320.tif 000030
【図２９】
2004003320.tif 000031
【図３０】
2004003320.tif 000032
【図３１】
2004003320.tif 000033
【図３２】
2004003320.tif 000034
【図３３】
2004003320.tif 000035
【図３４】
2004003320.tif 000036
【図３５】
2004003320.tif 000037
【図３６】
2004003320.tif 000038
【図３７】
2004003320.tif 000039
【図３８】
2004003320.tif 000040